(57)【要約】【課題】２本のフレキシブルケーブルを用いて配線を行う場合の電磁波ノイズの発生を効果的に低減可能なケーブル支持機構及びそれを備えた原稿搬送装置並びに画像形成装置を提供する。【解決手段】ケーブル支持機構は、平板状のケーブル支持部を有し、被覆部材内に複数の導電線が互いに平行に配置されたリボン状の２本のフレキシブルケーブルを支持する。ケーブル支持部は、第１支持面と、第２支持面と、複数のガイドリブと、を備える。第１支持面は、フレキシブルケーブルの一方を支持する。第２支持面は、第１支持面の裏面側に形成され、フレキシブルケーブルの他方を支持する。ガイドリブは、フレキシブルケーブルの幅方向に対向する第１支持面および第２支持面の端縁から突出し、第１支持面および第２支持面と所定の間隔を隔てて重なる。【選択図】図３
2018157358.tif 000002
【特許請求の範囲】
【請求項１】
被覆部材内に複数の導電線が互いに平行に配置されたリボン状の２本のフレキシブルケーブルを支持するケーブル支持機構であって、
前記フレキシブルケーブルの一方を支持する第１支持面と、
該第１支持面の裏面側に形成され、前記フレキシブルケーブルの他方を支持する第２支持面と、
前記フレキシブルケーブルの幅方向に対向する前記第１支持面および前記第２支持面の端縁から突出し、前記第１支持面および前記第２支持面と所定の間隔を隔てて重なる複数のガイドリブと、
を備えた平板状のケーブル支持部を有することを特徴とするケーブル支持機構。
【請求項２】
前記第１支持面と前記第２支持面との間隔が３ｍｍ以上であることを特徴とする請求項１に記載のケーブル支持機構。
【請求項３】
前記ケーブル支持部は、２本の前記フレキシブルケーブルを垂直に支持する第１ケーブル支持部と、該第１ケーブル支持部の延在方向に対して直交する方向に延在し、２本の前記フレキシブルケーブルを水平に支持する第２ケーブル支持部と、で構成されており、
前記第１ケーブル支持部には前記第２ケーブル支持部と隣接する側の端部に第１ガイド部が形成されており、
前記第２ケーブル支持部には前記第１ケーブル支持部と隣接する側の端部に前記第１ガイド部と対峙する第２ガイド部が形成されていることを特徴とする請求項１又は請求項２に記載のケーブル支持機構。
【請求項４】
前記第２ケーブル支持部の前記第２ガイド部と反対側の端部には前記第１支持面および前記第２支持面に対して所定の角度を有する第３ガイド部が形成されていることを特徴とする請求項３に記載のケーブル支持機構。
【請求項５】
原稿画像を読み取るＣＩＳセンサーと、前記フレキシブルケーブルによって前記ＣＩＳセンサーと接続される制御基板と、を有し、
請求項１乃至請求項４のいずれかに記載のケーブル支持機構を用いて前記ＣＩＳセンサーと前記制御基板との間で２本の前記フレキシブルケーブルを支持することを特徴とする原稿搬送装置。
【請求項６】
請求項５に記載の原稿搬送装置を備えた画像形成装置。
【発明の詳細な説明】
【技術分野】
【０００１】
本発明は、画像形成装置等の複数の電子部品を備えた電子機器の配線に使用されるフレキシブルケーブルの支持機構に関する。
【背景技術】
【０００２】
画像形成装置等の電子機器においては、装置内部に多種の電子部品が配設されているが、それらの電子部品どうしを電気的に接続させるため、各電子部品に設けられている接続用コネクターと接合させるためのコネクターを両端部に設けた配線ケーブルを用いるのが一般的である。
【０００３】
特に、被覆部材内に複数の導電線が互いに平行に配置されたリボン状のフレキシブルケーブル（Flexible Flat Cable、ＦＦＣ）は、可撓性に優れ、任意の形状に折り曲げ可能であるため、配線スペースを小さくできることから、電子機器の配線ケーブルとして広く用いられている。
【０００４】
上述したフレキシブルケーブルを２本用いて配線を行う場合、各フレキシブルケーブルで伝送される電気信号が互いに干渉して電磁波ノイズが発生し、電子機器の誤動作の要因となる。また、フレキシブルケーブルはフラットなリボン状であるため、一般的な配線ケーブルに比べて破損し易いという問題点がある。
【０００５】
そこで、フレキシブルケーブルを用いる場合のノイズ対策が種々提案されており、例えば特許文献１には、電気ユニット間を接続し、信号を伝送可能な平面状で多極を有する第１のハーネスと、多極を有するとともに、第１のハーネスと平行して配置される第２のハーネスとを有する電子機器において、第１のハーネスのＮ番目のピンにはクリティカルな信号が配置され、クリティカルな信号と隣り合うＮ−１番目のピンおよびＮ＋１番目のピンには安定した電位の信号が配置されるとともに、第２のハーネスにおいて第１のハーネスのＮ番目のピンと物理的に重なり合う関係となるピンには安定した電位の信号を配置する方法が開示されている。
【０００６】
また、特許文献２では、高電圧発生装置を高電圧発生部と制御回路部とに分離し、両者間の各種信号および電源ラインをフラットケーブルで接続し、高電圧発生部の出力電圧または出力電流の検出信号の伝送ラインに近接して接地ラインを設け、不要輻射ノイズの問題等を解消している。
【先行技術文献】
【特許文献】
【０００７】
【特許文献１】特開２００７−３０７７２４号公報
【特許文献２】特開平５−１０７８７８号公報
【発明の概要】
【発明が解決しようとする課題】
【０００８】
特許文献１の構成では、フラットケーブルの複数のピンに対する信号配置を規則的に行う必要があるため、配線の自由度が低下するという問題点があった。また、特許文献２の構成では、高電圧発生部と制御回路部とを接続するフラットケーブルに伝送ラインと接地ラインを設ける必要があるためフラットケーブルの構造が複雑になるという問題点があった。
【０００９】
本発明は上記問題点に鑑み、２本のフレキシブルケーブルを用いて配線を行う場合の電磁波ノイズの発生を効果的に低減可能なケーブル支持機構及びそれを備えた画像読取装置並びに画像形成装置を提供することを目的とする。
【課題を解決するための手段】
【００１０】
上記目的を達成するために本発明の第１の構成は、被覆部材内に複数の導電線が互いに平行に配置されたリボン状の２本のフレキシブルケーブルを支持するケーブル支持機構である。ケーブル支持機構は、平板状のケーブル支持部を有する。ケーブル支持部は、第１支持面と、第２支持面と、複数のガイドリブと、を備える。第１支持面は、フレキシブルケーブルの一方を支持する。第２支持面は、第１支持面の裏面側に形成され、フレキシブルケーブルの他方を支持する。ガイドリブは、フレキシブルケーブルの幅方向に対向する第１支持面および第２支持面の端縁から突出し、第１支持面および第２支持面と所定の間隔を隔てて重なる。
【発明の効果】
【００１１】
本発明の第１の構成によれば、２本のフレキシブルケーブルがケーブル支持部の第１支持面、第２支持面に沿って配線されるため、フレキシブルケーブルの配線処理を簡易かつ安価な方法で、省スペースで行うことができる。また、２本のフレキシブルケーブルが所定の間隔を隔てて保持されるため、各フレキシブルケーブルによって伝送される電気信号が互いに干渉せず、電気信号の干渉に起因する電磁波ノイズの発生を効果的に抑制することができる。
【図面の簡単な説明】
【００１２】
【図１】原稿搬送装置１０４が搭載された画像形成装置１００の内部構造を示す側面断面図
【図２】原稿搬送装置１０４の内部構造を示す側面断面図
【図３】ＣＩＳセンサー５１を上方から見た斜視図
【図４】ＣＩＳセンサー５１を下方から見た斜視図
【図５】原稿搬送装置１０４のフレーム１０４ａを上方から見た斜視図
【図６】フレーム１０４ａに取り付けられるＣＩＳ取り付けガイド５５、ケーブル支持機構７０を上方から見た斜視図
【図７】フレーム１０４ａに取り付けられるＣＩＳ取り付けガイド５５、ケーブル支持機構７０を下方から見た斜視図
【図８】ＣＩＳ取り付けガイド５５の裏面側をフレーム１０４ａの内側から見た斜視図
【図９】ＣＩＳ取り付けガイド５５の裏面側をフレーム１０４ａの外側から見た斜視図
【図１０】第２ケーブル支持部７３を上方から見た斜視図
【図１１】第２ケーブル支持部７３を下方から見た斜視図
【発明を実施するための形態】
【００１３】
以下、図面を参照しながら本発明の実施形態について詳細に説明する。図１は、原稿搬送装置１０４が搭載される画像形成装置１００の内部構造を示す側面断面図である。なお、図中の実線矢印は用紙Ｐの搬送経路、及び搬送方向を示す。
【００１４】
図１において、画像形成装置１００の下部には、カセット式給紙部１０１が配置されている。カセット式給紙部１０１には、２つの給紙カセット１ａ、１ｂが備えられている。この給紙カセット１ａ、１ｂの内部に、印字前のカットペーパー等の用紙Ｐの束が積載して収容され、画像形成装置１００本体に備えられた給紙ユニット１１７ａ、１１７ｂにより用紙Ｐの束から用紙Ｐが１枚ずつ分離して送り出される。
【００１５】
手差し給紙部１０２は、画像形成装置１００の右側面上部の外部に備えられている。手差し給紙部１０２には、カセット式給紙部１０１と異なるサイズや厚みの用紙や、ＯＨＰシート、封筒、葉書き、送り状等のように１枚ずつ送り込まれるものが載置される。
【００１６】
画像形成装置１００内には用紙搬送部１０３が配置されている。用紙搬送部１０３は、カセット式給紙部１０１に対し、給紙方向下流側である右方に位置し、手差し給紙部１０２に対し、給紙方向下流側である左方に位置する。カセット式給紙部１０１から送り出された用紙Ｐは、用紙搬送部１０３により画像形成装置１００本体の側面に沿って垂直上方に搬送され、手差し給紙部１０２から送り出された用紙Ｐは水平に搬送される。
【００１７】
画像形成装置１００の上部には原稿搬送装置１０４が配置され、その下方には画像読取部１０５が配置されている。画像読取部１０５の上面には自動読取用ガラス２５ａと手置き原稿用ガラス２５ｂから成るコンタクトガラス２５（図２参照）が配置されている。使用者が原稿の複写を行う場合には、原稿搬送装置１０４に複数枚の原稿を積載する。原稿搬送装置１０４では原稿が１枚ずつ分離して送り出され、画像読取部１０５によってその画像データが読み取られる。
【００１８】
用紙搬送部１０３の用紙搬送方向下流側であって、画像読取部１０５の下方には、画像形成部１０６、及び転写部１０７が配置されている。画像形成部１０６では、画像読取部１０５によって読み取られた画像データに基づいて原稿画像の静電潜像が形成され、この静電潜像が現像されてトナー像が形成される。一方、画像形成部１０６におけるトナー像の形成タイミングと同期をとってカセット式給紙部１０１または手差し給紙部１０２から用紙搬送部１０３を介して用紙Ｐが転写部１０７に搬送される。画像形成部１０６において形成されたトナー像は、転写部１０７において用紙Ｐ上に転写される。
【００１９】
転写部１０７の下流側には、定着部１０８が配置されている。転写部１０７においてトナー像が転写された用紙Ｐは、定着部１０８へと搬送され、加熱ローラー及び加圧ローラーから成る定着ローラー対のニップ部を通過することにより、用紙Ｐ上のトナー像が定着されて永久像とされる。定着部１０８から排出された用紙Ｐは、画像形成装置１００の左側面外側に設けられた用紙排出トレイ１１１に排出される。
【００２０】
図２は、原稿搬送装置１０４の内部構造を示す側面断面図である。原稿搬送装置１０４は、複数枚の原稿を整合して積載する原稿ガイド２９ａを備えた原稿給紙トレイ２９と、原稿給紙トレイ２９の下方に設けられた反転トレイ３０とを有する。また、原稿搬送装置１０４のフレーム１０４ａ（図５参照）に対し一端（図の左下）を回動支点としてカバー部材３１が開閉可能に支持されており、このカバー部材３１の側方には原稿排出トレイ３２が形成されている。カバー部材３１内には原稿給紙トレイ２９から原稿排出トレイ３２に至る原稿搬送路ｄが形成されている。
【００２１】
カバー部材３１内には、原稿搬送路ｄに沿ってピックアップローラー３３、給紙ベルト３４及び分離ローラー３５、レジストローラー対３６、搬送ローラー対３７、３８、３９、及び４０、ＣＩＳローラー４１、反転ローラー対４２、排出ローラー対４３等から成る原稿搬送部材が設けられている。給紙ベルト３４は駆動ローラー４４ａと従動ローラー４４ｂに掛け回されており、下方から分離ローラー３５が所定の圧力で接触している。分離ローラー３５にはトルクリミッターが内蔵されており、回転負荷が所定トルクを下回る場合のみ給紙ベルト３４と逆方向に回転し、回転負荷が所定トルクを上回る場合には給紙ベルト３４と従動回転するようになっている。ピックアップローラー３３の上方には原稿の上面位置を検知する上面検知センサー５０が配置されている。
【００２２】
なお、原稿搬送路ｄはレジストローラー対３６から自動読取用ガラス２５ａに至る間において反転するようにＵ字状に湾曲している。また、原稿搬送路ｄには、原稿の存否或いは通過を検知するための給紙センサーＳ１、排出センサーＳ２を含む複数の用紙検知センサーが適所に設けられている。
【００２３】
次に、原稿搬送装置１０４を用いたシートスルー方式の原稿搬送動作について説明する。シートスルー方式においては、原稿給紙トレイ２９に画像面を上向きにして複数枚の原稿をセットした後、画像形成装置１００の操作パネル（図示せず）のコピー開始ボタンがオンされると、昇降機構（図示せず）により上昇したリフト板４５が原稿を介してピックアップローラー３３を押し上げ、ピックアップローラー３３を含む枠体（図示せず）の重さがリフト板４５に加わることにより、原稿の上面が所定の圧力（給紙圧）でピックアップローラー３３に押しつけられる。
【００２４】
原稿給紙トレイ２９にセットされた原稿は、ピックアップローラー３３によって上段の複数枚が給紙ベルト３４と分離ローラー３５のニップ部に送られる。そして、分離ローラー３５により複数枚の原稿のうち最上の１枚のみが分離されてレジストローラー対３６に向けて搬送される。その際、原稿の先端が給紙センサーＳ１によって検出されてから所定の距離だけその原稿が搬送された後、ローラー駆動モーターの作動停止によってピックアップローラー３３及び給紙ベルト３４の回転駆動が停止され一次給紙が終了する。一次給紙された原稿は、その先端がレジストローラー対３６のニップ部に撓みが形成された状態で停止する。
【００２５】
一次給紙が終了してから所定時間経過後、二次給紙が開始される。つまり、二次給紙駆動モーター（図示せず）の作動によりレジストローラー対３６が回転駆動される。原稿は、レジストローラー対３６、搬送ローラー対３７〜３９、ＣＩＳローラー４１により自動読取用ガラス２５ａに向けて搬送される。自動読取用ガラス２５ａに搬送されてきた原稿は、自動読取用ガラス２５ａに対向配置された原稿押さえ部材５３と当接することによって上方から自動読取用ガラス２５ａに押し付けられる。このとき、画像読取部１０５内の読取モジュール２６は自動読取用ガラス２５ａの直下の読取位置Ｒ１に配置されている。そして、原稿の表面側（自動読取用ガラス２５ａ側）の画像が自動読取用ガラス２５ａを通して画像読取部１０５内の読取モジュール２６により読み取られる。
【００２６】
その後、自動読取用ガラス２５ａを通過した原稿は排出ローラー対４３に向けて搬送された後、最終的には排出ローラー対４３によって原稿排出トレイ３２上に排出される。その際、排出センサーＳ２により原稿の後端通過を検知したことによって、原稿１枚の画像読み取りの完了を検出する。排出センサーＳ２は、原稿の搬送完了毎に原稿枚数を計数するカウント機能を有しており、給紙センサーが後続の原稿を検知していれば、２枚目以降の原稿搬送が上記と同様に続行される。
【００２７】
また、両面原稿を読み取る場合は、ＣＩＳローラー４１に対向して設けられたＣＩＳセンサー５１で原稿裏面の画像を読み取り、読取モジュール２６で原稿表面の画像を読み取る。
【００２８】
図３および図４は、それぞれＣＩＳセンサー５１を上方および下方から見た斜視図である。ＣＩＳセンサー５１は、ＣＭＯＳ（Complementary MOS）センサーと呼ばれる光電変換素子を使用したセンサーである。ＣＩＳセンサー５１は、電荷結合素子（Charge Coupled Devices）を使用するＣＣＤセンサーで必要なミラーが不要であるため、ＣＩＳセンサーを搭載するスキャナーユニットを薄型化することができ、構造が簡単であるため低コストであるというメリットを有する。
【００２９】
ＣＩＳセンサー５１の長手方向（図３の矢印ＡＡ′方向）の両端部であって幅方向（図３の矢印ＢＢ′方向）の一端側（矢印Ｂ方向）には揺動軸５１ａが設けられている。ＣＩＳセンサー５１は揺動軸５１ａを支点としてＣＩＳ取り付けガイド５５（図６参照）に揺動可能に支持され、幅方向の他端側（矢印Ｂ′方向）はコイルバネ（図示せず）によってＣＩＳローラー４１（図２参照）側に付勢されている。これにより、ＣＩＳローラー４１とＣＩＳセンサー５１との密着状態が維持され、被写界深度の小さいＣＩＳセンサー５１による高精度の読み取りが可能となっている。
【００３０】
ＣＩＳセンサー５１の下面側には、２本のフレキシブルケーブル６０ａ、６０ｂの一端側のケーブル側コネクター６１ａ、６１ｂが接続されるセンサー側コネクター５３ａ、５３ｂが設けられている。フレキシブルケーブル６０ａ、６０ｂの他端側のケーブル側コネクター６１ａ、６１ｂは制御基板６３の基板側コネクター６３ａ、６３ｂ（図６参照）に接続される。
【００３１】
図５は、原稿搬送装置１０４のフレーム１０４ａを上方から見た斜視図であり、図６および図７は、それぞれフレーム１０４ａに取り付けられるＣＩＳ取り付けガイド５５、ケーブル支持機構７０を上方および下方から見た斜視図である。フレーム１０４ａには原稿排出トレイ３２が一体形成されており、ＣＩＳ取り付けガイド５５が固定されている。ＣＩＳ取り付けガイド５５の裏面側には第１ケーブル支持部７１が一体形成されている。
【００３２】
フレーム１０４ａには、制御基板６３、第２ケーブル支持部７３も固定されている。制御基板６３はフレキシブルケーブル６０ａ、６０ｂを介してＣＩＳセンサー５１に制御信号を送信するとともに、ＣＩＳセンサー５１で読み取られた画像信号を受信する。第２ケーブル支持部７３は、第１ケーブル支持部７１の延在方向（矢印ＡＡ′方向）に対して直交する方向（矢印ＢＢ′方向）に延在している。第２ケーブル支持部７３は、第１ケーブル支持部７１と共に２本のフレキシブルケーブル６０ａ、６０ｂを所定の間隔を隔てて保持するケーブル支持機構７０を構成する。
【００３３】
図８および図９は、それぞれＣＩＳ取り付けガイド５１の裏面側をフレーム１０４ａの内側（図５の左側）および外側（図５の右側）から見た斜視図である。第１ケーブル支持部７１は、ＣＩＳ取り付けガイド５５の長手方向に沿って形成されており、第１ケーブル支持部７１の一方の面（内側面）にはフレキシブルケーブル６０ａを垂直に支持する第１支持面７１ａが形成されている。第１ケーブル支持部７１の他方の面（外側面）にはフレキシブルケーブル６０ｂを垂直に支持する第２支持面７１ｂが形成されている。
【００３４】
また、第１支持面７１ａ、第２支持面７１ｂの上端部および下端部から第１支持面７１ａ、第２支持面７１ｂに重なるように複数のガイドリブ７５が突設されている。さらに、第１ケーブル支持部７１の長手方向の一端部には、第２ケーブル支持部７３の第２ガイド部７３ｅ（図１０参照）に対峙する第１ガイド部７１ｃが形成されている。
【００３５】
図１０および図１１は、それぞれ第２ケーブル支持部７３を上方および下方から見た斜視図である。第２ケーブル支持部７３は略平板状の樹脂製部材であり、第２ケーブル支持部７３の一方の面（上面）にはフレキシブルケーブル６０ａを水平に支持する第１支持面７３ａが形成されている。第２ケーブル支持部７３の他方の面（下面）にはフレキシブルケーブル６０ｂを水平に支持する第２支持面７３ｂが形成されている。
【００３６】
第２ケーブル支持部７３には、第１支持面７３ａ、第２支持面７３ｂを挟んでフレキシブルケーブル６０ａ、６０ｂの幅方向の側端縁に対向する側壁部７３ｃ、７３ｄが形成されている。また、側壁部７３ｃ、７３ｄから第１支持面７３ａ、第２支持面７３ｂに重なるように複数のガイドリブ７５が突設されている。
【００３７】
第２ケーブル支持部７３の長手方向の一端側（図１０および図１１の右端側）には第１ケーブル支持部７１に支持されたフレキシブルケーブル６０ａ、６０ｂを第１支持面７３ａ、第２支持面７３ｂに案内する第２ガイド部７３ｅが形成されている。第２ガイド部７３ｅは第１支持面７３ａ、第２支持面７３ｂに対して略垂直である。
【００３８】
第２ケーブル支持部７３の長手方向の他端側（図１０および図１１の左端側）には、第１支持面７３ａ、第２支持面７３ｂに支持されたフレキシブルケーブル６０ａ、６０ｂを制御基板６３に案内する第３ガイド部７３ｆが形成されている。第３ガイド部７３ｆは第１支持面７３ａ、第２支持面７３ｂに対して所定の角度で傾斜している。
【００３９】
次に、本実施形態のケーブル支持機構７０を用いたフレキシブルケーブル６０ａ、６０ｂの支持方法について説明する。先ず、フレキシブルケーブル６０ａ、６０ｂの一端のケーブル側コネクター６１ａ、６１ｂをＣＩＳセンサー５１のセンサー側コネクター５３ａ、５３ｂ（図４参照）に接続する。次に、フレキシブルケーブル６０ａをＣＩＳ取り付けガイド５５の開口部８０ａから引き出して第１ケーブル支持部７１の第１支持面７１ａに沿わせ、第１支持面７１ａとガイドリブ７５との隙間に挿入する。同様に、フレキシブルケーブル６０ｂをＣＩＳ取り付けガイド５５の開口部８０ｂから引き出して第１ケーブル支持部７１の第２支持面７１ｂに沿わせ、第２支持面７１ｂとガイドリブ７５との隙間に挿入する。これにより、フレキシブルケーブル６０ａ、６０ｂが第１ケーブル支持部７１の第１支持面７１ａ、第２支持面７１ｂに支持される。
【００４０】
次に、フレキシブルケーブル６０ａを直角に折り返して表裏面を反転させた状態で、第１ケーブル支持部７１の第１ガイド部７１ｃおよび第２ケーブル支持部７３の第２ガイド部７３ｅに沿って下方に案内する。そして、フレキシブルケーブル６０ａを第１支持面７３ａに沿わせ、第１支持面７３ａとガイドリブ７５との隙間に挿入する。同様に、フレキシブルケーブル６０ｂを直角に折り返して表裏面を反転させた状態で、第１ガイド部７１ｃ、第２ガイド部７３ｅに沿って下方に案内して第２ケーブル支持部７３の第２支持面７３ｂに沿わせ、第２支持面７３ｂとガイドリブ７５との隙間に挿入する。これにより、フレキシブルケーブル６０ａ、６０ｂが第２ケーブル支持部７３の第１支持面７３ａ、第２支持面７３ｂに保持される。
【００４１】
その後、フレキシブルケーブル６０ａを第３ガイド部７３ｆの上面に沿って案内し、他端のケーブル側コネクター６１ａを制御基板６３の基板側コネクター６３ａ（図６参照）に接続する。一方、フレキシブルケーブル６０ｂを第３ガイド部７３ｆの下面に沿って案内し、他端のケーブル側コネクター６１ｂを制御基板６３の基板側コネクター６３ｂ（図６参照）に接続する。このようにしてＣＩＳセンサー５１と制御基板６３とがフレキシブルケーブル６０ａ、６０ｂにより接続される。最後にＣＩＳ取り付けガイド５５、第２ケーブル支持部７３、制御基板６３をフレーム１０４ａに装着してＣＩＳセンサー５１の取り付けを完了する。
【００４２】
本実施形態の構成によれば、フレキシブルケーブル６０ａ、６０ｂが第１ケーブル支持部７１に形成された第１支持面７１ａ、第２支持面７１ｂ、および第２ケーブル支持部７３に形成された第１支持面７３ａ、第２支持面７３ｂに沿って支持された状態で制御基板６３に接続されるため、２本のフレキシブルケーブル６０ａ、６０ｂを所定の間隔を隔てて配線することができる。これにより、フレキシブルケーブル６０ａ、６０ｂの配線処理を簡易かつ安価な方法で、省スペースで行うことができる。また、各フレキシブルケーブル６０ａ、６０ｂによって伝送される電気信号が互いに干渉しないため、電気信号の干渉に起因する電磁波ノイズの発生を効果的に抑制することができる。
【００４３】
特に、原稿搬送装置１０４には電磁波ノイズの発生源となるＣＩＳセンサー５１が配置されているため、ＣＩＳセンサー５１と制御基板６３を接続する際に本実施形態のケーブル支持機構７０を用いると、電磁波ノイズの低減がより効果的となる。
【００４４】
ここで、２本のフレキシブルケーブル６０ａ、６０ｂで電気信号を伝送するＣＩＳセンサー５１では、フレキシブルケーブル６０ａ、６０ｂを３ｍｍ以上離間させないと、互いの伝送信号が近接してノイズが発生し、誤動作や異常画像を発生させる要因となる。そのため、第１ケーブル支持部７１に形成された第１支持面７１ａ、第２支持面７１ｂの間隔、および第２ケーブル支持部７３に形成された第１支持面７３ａ、第２支持面７３ｂの間隔を３ｍｍ以上とすることが好ましい。
【００４５】
また、第１ケーブル支持部７１の第２ケーブル支持部７３側の端部に第１ガイド部７１ｃを設け、第２ケーブル支持部７３には第１ガイド部７１ｃと対峙する第２ガイド部７３ｅを設けることにより、第１ケーブル支持部７１に沿って支持されたフレキシブルケーブル６０ａ、６０ｂが第１ガイド部７１ｃ、第２ガイド部７３ｅの側面に沿って第２ケーブル支持部７３に案内される。従って、第１ケーブル支持部７１と第２ケーブル支持部７３との隙間におけるフレキシブルケーブル６０ａ、６０ｂの接触を防止することができる。また、フレキシブルケーブル６０ａ、６０ｂの間隔を３ｍｍ以上とするために、第１ガイド部７１ｃ、第２ガイド部７３ｅの厚みを３ｍｍ以上とすることが好ましい。
【００４６】
さらに、第２ケーブル支持部７３の制御基板６３側の端部に設けられた第３ガイド部７３ｆは、第１ガイド面７３ａ、第２ガイド面７３ｂに対して所定の角度を有している。これにより、第３ガイド部７３ｆの上方を通過して制御基板６３に接続されるフレキシブルケーブル６０ａと、第３ガイド部７３ｆの下方を通過して制御基板６３に接続されるフレキシブルケーブル６０ｂとを極力離間させることができる。
【００４７】
その他、本発明は上記実施形態に限定されるものではなく、本発明の趣旨を逸脱しない範囲で種々の変更が可能である。例えば、上記実施形態では、本発明のケーブル支持機構７０を原稿搬送装置１０４内のＣＩＳセンサー５１と制御基板６３とを接続するフレキシブルケーブル６０ａ、６０ｂの配線に用いたが、これに限らず、画像読取部１０５、画像形成部１０６、転写部１０７等の、画像形成装置１００内の他の装置と制御基板とを接続するフレキシブルケーブルの配線に用いることもできる。
【００４８】
また、本発明は図１に示したようなデジタル複合機に限らず、モノクロ及びカラープリンター、カラー複写機、ファクシミリ等、種々の画像形成装置に適用可能である。また、画像形成装置以外の電子機器のフレキシブルケーブルの支持機構にも適用できるのはもちろんである。
【産業上の利用可能性】
【００４９】
本発明は、画像形成装置等の複数の電子部品を備えた電子機器の配線に使用されるフレキシブルケーブルの支持機構に利用可能である。本発明の利用により、２本のフレキシブルケーブルを用いて配線を行う際の電磁波ノイズを簡易な方法で効果的に低減可能なケーブル支持機構を提供することができる。
【符号の説明】
【００５０】
５１                ＣＩＳセンサー
５３ａ、５３ｂ      センサー側コネクター
５５                ＣＩＳ取り付けガイド
６０ａ、６０ｂ      フレキシブルケーブル
６１ａ、６１ｂ      ケーブル側コネクター
６３                制御基板
６３ａ、６３ｂ      基板側コネクター
７０                ケーブル支持機構
７１                第１ケーブル支持部
７１ａ              第１支持面（第１ケーブル支持部）
７１ｂ              第２支持面（第１ケーブル支持部）
７１ｃ              第１ガイド部
７３                第２ケーブル支持部
７３ａ              第１支持面（第２ケーブル支持部）
７３ｂ              第２支持面（第２ケーブル支持部）
７３ｃ、７３ｄ      側壁部
７３ｅ              第２ガイド部
７３ｆ              第３ガイド部
７５                ガイドリブ
１００              画像形成装置
１０４              原稿搬送装置
【図１】
2018157358.tif 000003
【図２】
2018157358.tif 000004
【図３】
2018157358.tif 000005
【図４】
2018157358.tif 000006
【図５】
2018157358.tif 000007
【図６】
2018157358.tif 000008
【図７】
2018157358.tif 000009
【図８】
2018157358.tif 000010
【図９】
2018157358.tif 000011
【図１０】
2018157358.tif 000012
【図１１】
2018157358.tif 000013